【事件の表示】
　特許第２７６０７８５号「マトリクス画像表示装置」の特許に対する特許異議の申立てについて、次のとおり決定する。
【結論】
　訂正を認める。
　特許第２７６０７８５号の特許請求の範囲第１項ないし第２項に記載された発明についての特許を維持する。
【理由】
（１）手続の経緯
　特許第２７６０７８５号の請求項１〜２に記載された発明は、昭和６２年３月９日に特許出願され、平成１０年３月２０日にその特許の設定登録がなされ、その後、特許異議の申立てがなされ、取消理由通知がなされ、その指定期間内である平成１１年４月２８日に訂正請求がなされたものである。
（２）訂正の適否についての判断
ア．訂正明細書の請求項２に記載された発明
　訂正明細書の請求項２に記載された発明（以下、「本件の請求項２に記載された発明」という。）は、その特許請求の範囲の請求項２に記載された次のとおりのものである。
「列信号電極と行走査電極の交点にマトリクス状に配置されて画面を構成する複数の画素に対応して設けられ、水平走査周期に同期して極性が反転する画像信号を前記列信号電極駆動用にサンプリングしてホールドするサンプルホールド手段と、該サンプルホールド手段にサンプリング動作を行わせるためのパルス信号を出力するシフトレジスタとを備え、
　前記サンプルホールド手段は、サンプリングする前記画像信号と同一極性の信号電圧を、その画像信号の水平帰線期間内でサンプリングしリセット動作を行いかつ該リセット動作期間中は前記列信号電極を該リセット動作の信号電圧で駆動しないように構成され、
　前記シフトレジスタは、前記サンプルホールド手段が前記リセット動作を行った後の水平有効表示期間に、前記パルス信号を出力するように構成されていることを特徴とするマトリクス画像表示装置。」
イ．訂正の内容
　特許権者が求めている訂正の内容は、以下ａ、ｂのとおりである。
ａ．特許請求の範囲の請求項２に記載されている、「マトリクス状に配置されて画面を構成する複数の画素に対応して設けられ、水平走査周期に同期して極性が反転する画像信号をサンプリングしてホールドするサンプルホールド手段と、該サンプルホールド手段にサンプリング動作を行わせるためのパルス信号を出力するシフトレジスタとを備え、
　前記サンプルホールド手段は、サンプリングする前記画像信号と同一極性の信号電圧を、その画像信号の水平帰線期間内でサンプリングしてリセット動作を行うように構成され、
　前記シフトレジスタは、前記サンプルホールド手段が前記リセット動作を行った後の水平有効表示期間に、前記パルス信号を出力するように構成されていることを特徴とするマトリクス画像表示装置。」を、上記（２）アに示したとおりに訂正する。即ち、特許請求の範囲の請求項２に記載されている
「マトリクス状に配置されて画面を構成する複数の画素」を、▲１▼「列信号電極と行走査電極の交点にマトリクス状に配置されて画面を構成する複数の画素」に、
「サンプリングしてホールドするサンプルホールド手段」を、▲２▼「前記列信号電極駆動用にサンプリングしてホールドするサンプルホールド手段」に、
「その画像信号の水平帰線期間内でサンプリングしてリセット動作を行うように構成され」を、▲３▼［その画像信号の水平帰線期間内でサンプリングしリセット動作を行いかつ該リセット動作期間中は前記列信号電極を該リセット動作の信号電圧で駆動しないように構成され」に訂正する。
ｂ．明細書第１６頁第１８行（公報７コラム第２９行）の「ｌｃｌ＝３ｊ−２；ｊ＝１、２，３．．．）列目」を「ｌ（ｌ＝３ｊ−２；ｊ＝１，２，３．．．）列目」に訂正する。
ウ．訂正の目的の適否、新規事項の有無及び拡張・変更の存否
　上記ａの訂正事項に関する記載として、願書に添付した明細書の、発明の詳細な説明（特に、明細書第８頁第１５行〜第９頁第９行（公報４コラム第３８〜５０行）及び第１図、２図を参照）には、「サンプルホールド回路はテレビ画像信号ＶＩの水平帰線期間中にリセット信号ＲＳに応じたタイミングで水平走査周期毎に極性反転したテレビ画像信号ＶＩのほぼ中間の電圧、例えば黒レベルに相当する電圧をサンプリングする。」とあり、この後に「続く水平有効表示期間にそれぞれサンプリングホールド回路は．．．画像信号ＶＩをサンプリングし、ホールド容量５はそれぞれ駆動を担当する列信号電極９に見合う信号電圧をホールドする。このホールドした信号電圧を・・・出力制御付きパッファアンプ６を動作させて列信号電極を駆動する。」ことが記載されている。
　したがって、画像信号ＶＩのほぼ中間の電圧をサンプリングした後、画像信号をＶＩをサンプリングし、この後に、バッファアンプ６を動作させ列信号電極９を駆動しているから、上記訂正の、▲３▼のことは、明細書に記載されている。
　また、画像信号ＶＩを列信号電極を駆動するためにサンプリングしているから、上記訂正の、▲２▼のことは、明細書に記載されている。
　上記訂正の、▲１▼のことは、第１図に示され、明かである。
　上記ｂの訂正事項については、詳細な説明、第５図及び第６図を参照すれば、明らかに、誤記の訂正である。
　したがって、上記訂正ａ、ｂは、特許明細書に記載した事項の範囲内において、特許請求の範囲の減縮、誤記の訂正を目的とするものであって、新規事項の追加にも該当せず、また、実質上特許請求の範囲を拡張し、又は変更するものではない。
エ．独立特許要件の判断
　特願昭６１−１８５５６１号（特開昭６３−４１８２９号公報、これは特許異議申立人が提出した甲第１号証である。）の願書に最初に添付した明細書又は図面（以下、「先願明細書」という。）には、
　▲１▼、「本発明は、アクティブマトリクス液晶表示体を有する液晶表示装置に関する。」（公報第１頁右下欄第１１〜１２行）、
「以上の回路動作のタイミングチャートを第２図に示す。本図は、映像信号の極性が、１水平期間毎に反転する場合（以後１Ｈ反転と呼ぶ）である。ｉ番目の行ラインＹｉが選択されてから、１番目の列ラインＸｉが選択されるまでの時間ｔ’０の期間中にパルスを発する制御信号によって、前記パルスの時間巾ｔ０の時間で信号電圧が、各列ラインに同時に供給される。」（同第３頁右下欄第４〜１１行）、
「次に、電圧源の第１の実施例を第３図に示す。映像極性反転信号３００と、反転素子３０５により反転した信号によって、アナログスイッチ３０３，３０４が、映像極性に同期して交互にＯＮ、ＯＦＦを繰り返して、電圧源３０１、３０２の各々の電位を選択して映像極性によって電位が異なる信号電圧３０６が出力される。」（同第３頁右下欄第１３〜１９行）、
「次に、第７図に信号電圧を列ラインへ供給する手段の第１の実施例を示す。
　従来の列制御回路７００に、映像信号電圧７０１とシフトクロック７０２が入力され、シフトクロック７０２は、列制御回路７００内のシフトレジスタ用である。７１１，７１３・・・７１５は、各々前記シフトレジスタの出力であり、７１２，７１４・・・７１６は、各々列ラインへ映像信号電圧を供給する為の信号ラインである。」（同第４頁左下欄第１１〜１９行）、
「回路動作としては、ある水平期間の初期に、制御信号７０４によって、アナログスイッチ７０５，７０７・・・７０９が一斉にＯＮして、信号電圧７０３が各列ライン７１７，７１８，７１９へ同時に供給される。そして、制御信号７０４によってアナログスイッチ７０５，７０７・・・７０９が一斉にＯＦＦした後、列制御回路７００からのシフトレジスタの出力７１１、７１３・・・７１５によって、アナログスイッチ７０６，７０８・・・７１０が順次ＯＮして、各列ライン７１７，７１８，７１９に順次映像信号電圧が供給される。」（同第４頁右下欄第３〜１３行）が記載され、
　第２実施例として、「また、電圧源・・・信号電圧としている。」（同第３頁右下欄末行〜第４頁左上欄第１１行）、「次に、信号電圧を・・・供給される。」（同第４頁右下欄第１４行〜第５頁右上欄第５行）が記載されている。
▲２▼、この先願明細書には、液晶が保持していた電圧の影響を除去するために、各水平期間の初期に「信号電圧」が列ラインに供給し、この後に「映像信号電圧」を列ラインに供給することが示されているだけで、本件の請求項２に記載された発明の「画像信号の水平帰線期間内でサンプリングしリセット動作を行いかつ該リセット動作期間中は前記列信号電極を該リセット動作の信号電圧で駆動しないように構成され」のことは記載されていなく、また、このことは自明の事項ともいえない。
　したがって、本件の請求項２に記載された発明が、甲第１号証に記載された発明と同一であるとはいえない。
▲３▼、よって、本件の請求項２に記載された発明は，特許出願の際独立して特許を受けることができるものである。
オ．むすび
　以上のとおりであるから、上記訂正は、特許法第１２０条の４第２項及び同条第３項で準用する第１２６条第２−４項の規定に適合するので、当該訂正を認める。
（３）特許異議の申立てについて
ア．本件の請求項１〜２に記載された発明は、下記のとおりである。
請求項１．「マトリクス状に配置されて画面を構成する複数の画素に対応して設けられ、水平走査周期に同期して極性が反転する画像信号をサンプリングしてホールドするサンプルホールド手段を備えたマトリクス画像表示装置において、
　前記サンプルホールド手段は、極性が反転した直後の前記画像信号の水平帰線期間における黒レベル信号をサンプリングした後に、その水平帰線期間の直後の水平有効表示期間の画像信号をサンプリングするように構成されていることを特徴とするマトリクス画像表示装置。」
請求項２．これは、上記（２）アに示したとおりである。
イ．申立ての理由の概要
　申立人．シャープ株式会社は、請求項１〜２に記載された発明は、甲第１号証（これは、上記先願明細書と同一である。）に記載された発明と同一であり、特許法第２９条の２の規定に違反してなされたものであるから、特許を取り消すべきと主張している。
ウ．甲１号証の発明
　甲第１号証には、上記（２）エ▲１▼に示したとおりのことが記載されている。
エ．　　　対　　比　　・　　判　　断
　甲第１号証のものは、液晶が保持していた電圧の影響を除去するために、各水平期間の初期に「信号電圧」が列ラインに供給し、その信号電圧は、具体的には、第３図を参照すると、電圧源３０１、３０２であり、また、第４図を参照すると、映像信号を積分した電位であり、さらに、信号電圧を変化させて、列ライン側液晶端子電圧を、ある一定範囲で変化させることもできるものだけで、したがって、この号証には、本件の請求項１に記載された発明の、液晶等の出力電圧のばらつき低減のために「画像信号の水平帰線期間における黒レベル信号」をサンプリングしたことが記載されていなく、また、このことは自明の事項ともいえない。
　したがって、本件の請求項第１に記載された発明が、甲第１号証に記載された発明と同一であるとはいえない。
　また、本件の請求項第２に記載された発明は、上記（２）エ▲２▼に示したとおりである。
オ．　　む　　す　　び
　以上のとおりであるから、特許異議申立ての理由及び証拠によっては、本件の請求項１〜２に記載された発明の特許を取り消すことができない。
　また、他に本件の請求項１〜２に記載された発明の特許を取り消すべき理由を発見しない。
　よって、結論のとおり決定する。
【異議決定日】
平成１１年６月９日（１９９９．６．９）
【訂正の要旨】
１．特許請求の範囲の請求項２を、次のとおり訂正する。
「列信号電極と行走査電極の交点にマトリクス状に配置されて画面を構成する複数の画素に対応して設けられ、水平走査周期に同期して極性が反転する画像信号を前記列信号電極駆動用にサンプリングしてホールドするサンプルホールド手段と、該サンプルホールド手段にサンプリング動作を行わせるためのパルス信号を出力するシフトレジスタとを備え、
　前記サンプルホールド手段は、サンプリングする前記画像信号と同一極性の信号電圧を、その画像信号の水平帰線期間内でサンプリングしリセット動作を行いかつ該リセット動作期間中は前記列信号電極を該リセット動作の信号電圧で駆動しないように構成され、
　前記シフトレジスタは、前記サンプルホールド手段が前記リセット動作を行った後の水平有効表示期間に、前記パルス信号を出力するように構成されているこ、とを特徴とするマトリクス画像表示装置。」
２．明細書第１６頁第１８行（公報第４頁左欄２９行）の
「ｌｃｌ−３ｊ−２；ｊ＝１、２，３・・・）列目」を
「ｌ（ｌ＝３ｊ−２；ｊ＝１，２，３・・・）列目」に訂正する。
（５４）【発明の名称】
マトリクス画像表示装置
（５７）【特許請求の範囲】
１、マトリクス状に配置されて画面を構成する複数の画素に対応して設けられ、水平走査周期に同期して極性が反転する画像信号をサンプリングしてホールドするサンプルホールド手段を備えたマトリクス画像表示装置において、
　前記サンプルホ−ルド手段は、極性が反転した直後の前記画像信号の水平帰線期間における黒レベル信号をサンプリングした後に、その水平帰線期間の直後の水平有効表示期間の画像信号をサンプリングするように構成されていることを特徴とするマトリクス画像表示装置。
２．
列信号電極と行走査電極の交点に
前記列信号電極駆動用に
　前記サンプルホールド手段は、サンプリングする前記画像信号と同一極性の信号電圧を、その画像信号の水平帰線期間内でサンプリングしリセット動作を行
いかつ該リセット動作期間中は前記列信号電極を該リセット動作の信号電圧で駆動しない
　前記シフトレジスタは、前記サンプルホールド手段が前記リセット動作を行った後の水平有効表示期間に、前記パルス信号を出力するように構成されていることを特徴とするマトリクス画像表示装置。
【発明の詳細な説明】
　〔産業上の利用分野〕
　本発明はマトリクス的に配置した液晶等の表示要素を画素として有するマトリクス画像表示装置の出力電圧ばらつき低減手段に関する。
　【従来の技術】
　マトリクス画像表示装置において、１行の画素全てを同時に駆動するいわゆる線順次走査を行う場合、テレビ画像信号をサンプリングした後画素を駆動するまでの間ホールドしておくためのサンプルホールド回路が必要となる。このようなサンプルホールド回路を用いて表示パルスの画素を駆動する方法が、テレビジョン学会技術報告第６巻（ＩＰＤ７５−６）（昭和５８年）第２９頁から第３４頁において論じられている。
　【発明が解決しようとする問題点】
　上記従来技術は、水平有効表示期間においてテレビ画像信号をサンプリングするサンプルホールド回路のサンプリング直前のホールド電圧は以前の水平有効表示期間にサンプリングしたテレビ画像信号の電圧となっているので、その電圧が異なると同じ信号電圧をサンプリングした場合でも以後ホールドする電圧が異なってばらつきが生じてしまう問題があった。
　本発明の目的は、サンプルホールド回路が水平有効表示期間にサンプリングしたテレビ画像信号のサンプリング直後のホールド電圧のばらつきを小さくおさえたマトリクス画像表示装置を提供することにある。
　【問題点を解決するための手段】
　上記目的は、極性が反転した後の画像信号の水平帰線期間内で第１のサンプリング動作を行った後に、その水平帰線期間に隣接する水平有効表示期間内で第２のサンプリング動作を行うように、マトリクス画像表示装置におけるサンプルホールド回路を構成することにより達成される。
　【作用】
　水平有効表示期間に画像信号をサンプリングする各サンプルホールド回路がその水平有効表示期間の直前の水平帰線期間内の例えば黒レベルの信号電圧をサンプリングする。それによって画像信号をサンプリングする直前のサンプルホールド回路のホールド容量の電圧は常にほぼ黒レベルの電圧となる。黒レベルの電圧をサンプリングしない場合には水平有効表示期間において同じ画像信号をサンプリングしても、ホールドしていた電圧がさまざまなので、以後のホールド電圧にばらつきが生じるのに対し、黒レベルの電圧をサンプリングしておくとホールド電圧が一定であるためばらつきが小さくなる。また水平走査周期毎に極性反転させたテレビ画像信号を用いる場合は、水平走査周期毎にテレビ画像信号のサンプリングを行うサンプルホールド回路に、テレビ画像信号をサンプリングする水平有効表示期間の直前の水平帰線期間において同じ極性の黒レベルの電圧をあらかじめ同時にサンプリングさせることで、逆極性のテレビ画像信号をサンプリングした後、次の水平有効表示期間のテレビ画像信号をサンプリングする場合に比べ、ホールド容量の電圧の変化を小さくできるので、印加電圧に対するホールド電圧の誤差を所定の誤差内におさめるために必要な時間を短くすることができる。または、同一の書き込み所要時間ではＭＯＳトランジスタ等で構成されるサンプルホールド回路のアナログスイッチのインピーダンスを上げることができるので、その占有面積を小さくすることができる。
　【実施例】
　本発明の一実施例を図を用いて説明する。以降の説明ではマトリクス的に配置されたスイッチング素子と液晶等から成る画素を有する表示パネルを用いたアクティブマトリクス方式画像表示装置用駆動回路について述べるが、その他のマトリクス画像表示装置用駆動回路においても同様な効果を得ることができる。
　本発明の一実施例によるアクティブマトリクス方式画像表示装置用駆動回路を第１図に示す。尚、以降の説明では表示要素として液晶を用いた例を示すが、他のものを用いた場合も動作は同様である。１は水平走査用シフトレジスタ、２はオア（ＯＲ）回路、３はレベルシフタ、４は例えばＭＯＳトランジスタ等で構成されるアナログスイッチ、５，７はホールド容量、６は出力を高インピーダンス状態にすることができる制御端子ＯＥを備えたパッファアンプ、８は垂直走査用シフトレジスタ、９は列信号電極、１０は行走査電極、１１はＭＯＳトランジスタ、１２は液晶セル、１３は液晶パネル、破線枠ＳＲ部分は、全出力段を同時に選択状態にできるシフトレジスタ部分である。
　以下、第１図の実施例を第２図に示した動作波形例を用いて説明する。
　第１図において水平走査用シフトレジスタ１には、テレビ画像信号Ｖ１の水平同期信号に同期し、液晶パネル１３の水平方向の画素数に相当するクロックパネルφＨと、水平同期信号を遅延して得られる走査開始信号ＤＨが印加される。シフトレジスタの各段の出力ＱＫ（Ｋ＝１，２，３…）はリセット信号ＲＳと共にオア（ＯＲ）回路に印加され、テレビ画像信号Ｖ１の水平走査周期中の水平有効表示期間及び水平帰線期間に各々１回ずつ選択する信号ＰＫを形成しレベルシフタ３でアナログスイッチ４を駆動できる電圧レベルに変換している。アナログスイッチ４はホールド容量５と共にサンプルホールド回路を形成しており、全てのサンプルホールド回路はテレビ画像信号ＶＩの水平帰線期間中にリセット信号ＲＳに応じたタイミングで水平走査周期毎に極性反転したテレビ画像信号ＶＩのほぼ中間の電圧、例えば黒レベルに相当する電圧をサンプリングする。続く水平有効表示期間にそれぞれサンプルホールド回路は液晶パネル１３の画素配置に応じたタイミングでテレビ画像信号ＶＩをサンプリングし、ホールド容量５はそれぞれ駆動を担当する列信号電極９に見合う信号電圧をホールドする。このホールドした信号電圧を出力制御付パッファアンプ６に入力し、水平帰線期間中の出力制御信号ＯＥが“Ｈ”レベルになっている期間に、出力制御付バッファアンプ６を動作させ列信号電極９を駆動する。
　一方、垂直走査用シフトレジスタ８には水平走査周期のクロックパルスφＶ（水平走査開始信号とほぼ同一、もしくはやや位相の進んだパルス）と垂直同期信号を遅延させて得られる垂直走査開始信号ＤＶを印加し、テレビの水平走査線に相当する行走査電極１０にゲートが接続されているＭＯＳトランジスタ１１をオンさせて列信号電極９に与えられた信号電圧を液晶セル１２に書き込み画像を表示するものである。尚、液晶自体やＭＯＳトランジスタ１１のオフ時のリークが無視できない場合、各画素の液晶駆動電極に信号保持容量を付加すれば良い。
　また、全ての液晶セルの片方の電極は共通に接続され、液晶を交流駆動するために信号電圧のほぼ中点電位が与えられる。
　第２図において、液晶を交流駆動するためテレビ画像信号ＶＩは水平走査周期毎に極性反転した交流信号としている。サンプルホールド回路がテレビ画像信号ＶＩをサンプリングする水平有効表示期間直前のテレビ画像信号ＶＩが黒レベルの期間に“Ｈ”レベルのリセット信号ＲＳが入力されるとすべてのオア回路２の出力ＰＫが“Ｈ”レベルになり、全てのアナログスイッチ４がオン状態となる。これによって、全てのホールド容量５には、テレビ画像信号ＶＩの黒レベルの電圧が書き込まれる。続く水平有効表示期間が始まる直前に“Ｌ”レベルのリセット信号が入力されると水平走査用シフトレジスタ１の全ての出力ＱＫは“Ｌ”レベルになっているので、全てのオア回路２の出力ＰＫが“Ｌ”レベルとなり全てのアナログスイッチ４がオフ状態になってサンプリング、すなわちリセット動作が終了する。続く水平有効表示期間になると、それぞれのサンプルホールド回路は水平走査用シフトレジスタ１の各段の出力ＱＫによってテレビ画像信号を順次サンプリングする。次の水平走査周期の水平帰線期間内の出力制御信号ＯＥが“Ｈ”になっている期間にバッファアンプ６が、サンプリングした画像信号電圧で列信号電極９を駆動する。続いて出力制御信号ＯＥが“Ｌ”レベルになるとバッファアンプ６の出力が高インピーダンス状態になり、パッファアンプ６が次に出力状態になるまでの間、列信号電極９に加えられた信号電圧は列信号電極９に接続されたホールド容量７によってホールドされる。尚、列信号電極９のリークが少なければ、その浮遊容量をホールド容量７として代用できる。ホールド容量７がホールドしている信号電圧は垂直走査用シフトレジスタ８の出力によって選択した行走査電極１０にケートが接続されているＭＯＳトランジスタ１１を通して、次にバッファアンプ６が出力状態になるまでの間に液晶セル１２に書き込まれる。同時に、各サンプルホールド回路はリセット動作した後、テレビ画像信号ＶＩをサンプリングする。以後は同様にしてテレビ画像信号ＶＩのサンプリングと書き込み動作を繰り返す。
　このように、水平走査周期毎に極性反転する交流化テレビ画像信号ＶＩの黒レベルに相当する電圧を全てのサンプルホールド回路がサンプリングした後に、水平有効表示期間内でテレビ画像信号ＶＩをサンプリングするので１つ前の水平有効表示期間にサンプリングした信号電圧の影響を受けることなくサンプリングを行うことができ、ホールド容量５がホールドする電圧のばらつきを小さくすることができる。また、黒レベルをサンプリングした後黒レベルと同じ極性のテレビ画像信号ＶＩをサンプリングするので、逆極性のテレビ画像信号ＶＩをサンプリングする場合に比べてサンプリング時のホールド容量５のホールド電圧の変化を小さくすることができるため、ホールド電圧の印加電圧に対する誤差を所定の誤差以内におさめるために必要な時間を短くすることができる利点がある。または、同一の書き込み所要時間ではＭＯＳトランジスタ等で構成されるアナログスイッチ４のインピーダンスが大きくなっても許容できるので、その占有面積を小さくできる効果がある。
　本発明の他のー実施例を第３図に示す。第３図は第１図の破線で囲まれた全出力段を同時に選択状態にできるシフトレジスタ部分の他の構成例である。
　１４は例えばＭＯＳトランジスタ等で構成されるアナログスイッチ、１５はアナログスイッチがオフの時にオフになる直前の信号電圧をホールドするホールド容量であり、寄生容量で代用しても良い。１６はノンインバーティングバッファであり、例えばインバータを２個縦続接続したものである。１７，２１はインバータ、１８，１９，２０はオア回路、２２，２３はナンド（ＮＡＮＤ）回路、２４はナンド回路２２及び２３によって構成されるＲＳフリップフロップである。
　以下、第３図の実施例を第４図に示した動作波形例を用いて説明する。（第３図にはテレビ画像信号ＶＩを印加する部分は示していないが、第４図には動作の説明のためにテレビ画像信号ＶＩの波形を示してある。）ダイナミック型シフトレジスタの出力ＰＫにより制御されるサンプルホールド回路は、水平有効表示期間中にテレビ画像信号ＶＩをサンプリングする。この水平有効表示期間直前のテレビ画像信号の黒レベル期間にリセット信号ＲＳが“Ｈ”レベルになると、ＲＳフリップフロップ２４の出力（ナンド２３の出力）ＲＳ−０は“Ｈ”レベルとなり、従ってオア回路１８及び１９を通したアナログスイッチ１４の制御電圧は、“Ｈ”レベルとなるので全てのアナログスイッチ１４がオン状態となる。同時に、“Ｈ”レベルとなったリセット信号ＲＳがオア回路２０を通してダイナミック形シフトレジスタの初段入力端子に入力される。前途の如く全てのアナログスイッチ１４はオン状態となっているので、ダイナミック形シフトレジスタの全ての出力段には初段入力の“Ｈ”レベルが伝えられ、従ってリセット信号ＲＳが“Ｈ”レベルとなっている期間にダイナミック型シフトレジスタの出力ＰＫにより制御される全てのサンプルホールド回路にテレビ画像信号ＶＩの黒レベルをサンプリングさせることができる。リセット信号ＲＳが“Ｌ”レベルになると、ダイナミック形シフトレジスタの初段入力端子には“Ｌ”レベルの信号電圧が印加される。この時、ダイナミック形シフトレジスタの最終段は“Ｈ”レベルであるため、ＲＳフリップフロップ２４の出力ＲＳ−０は“Ｈ”レベルのままであり、全てのアナログスイッチ１４はオン状態となっている。従って初段入力の“Ｌ”レベルが最終段まで伝達される。最終段が“Ｌ”レベルになると、ＲＳフリップフロップ２４の出力ＲＳ−Ｏが“Ｌ”レベルになるため、アナログスイッチ１４の制御電圧が“Ｌ”レベルとなり全てのアナログスイッチ１４がオフ状態となる。続く水平有効表示期間になるとダイナミック型シフトレジスタの出力ＰＫにより制御されるそれぞれのサンプルホールド回路は新たにテレビ画像信号ＶＩのサンプリングを開始する。
　第３図の実施例を用いることにより第１図の実施例と同様の効果を上げることができる。
　本発明の他の一実施例を第５図に示し、その動作波形例を第６図に示す。
　第５図の実施例は例えばＮＴＳＣ方式テレビ画像表示を考慮し、垂直方向画素数が４８０程度の液晶パネルを１駆動するものである。２５はアンド（ＡＮＤ）回路、２６はシフトマトリクス、２７はボルテージフォロワである。第１図の実施例と大きく異なるのは１列信号電極１駆動回路につきサンプルホールド回路を４系統もち、それぞれのサンプルホールド回路は２水平走査周期毎にテレビ画像信号ＶＩのサンプリングを行い、ホールドした信号電圧を水平走査周期の半分の周期毎に順次切り換えて出力する点と、垂直走査用のシフトレジスタ８′の段数が第１図のシフトレジスタ８の２倍あり、水平走査周波数の２倍の周波数のクロックパルスφＶを印加する点である。
　ｌ（ｌ＝３ｊ−２；ｊ＝１，２，３…）列目の列信号電極９−ｌの駆動回路を取り上げ、第５図の実施例の動作を第６図の波形を用いて説明する。ｌ＋１，ｌ＋２列目の列信号電極９−ｌ＋１，９−ｌ＋２の駆動回路については、以下の説明において（Ｒｅｄ，Ｇｒｅ，Ｂｌｕ，Ｒ，Ｇ，Ｂ）をそれぞれ（Ｇｒｅ，Ｂｌｕ，Ｒｅｄ，Ｇ，Ｂ，Ｒ）と（Ｂｌｕ，Ｒｅｄ，Ｇｒｅ，Ｂ，Ｒ，Ｇ）に置き換えれば同様な動作になるので説明は省略する。
　ここでアナログスイッチ４Ａ１，４Ｂ１，４Ｃ１，４Ｄ１と各ホールド容量５からなるサンプルホールド回路をそれぞれＳ／Ｈ−Ａ，Ｓ／Ｈ−Ｂ，Ｓ／Ｈ−Ｃ，Ｓ／Ｈ−Ｄと呼ぶことにし、そのサンプリング動作期間を“Ｗ”、選択スイッチＳＡ１，ＳＢ１，ＳＣ１，ＳＤ１がそれぞれ選択されてホールドされた信号電圧がバッファアンプ６に送られ、列信号電極９−ｌを駆動する出力期間を“Ｒ”という記号をつけで示している。尚、サンプリング期間“Ｗ”の後に続く（　）内には、各サンプルホールド回路にサンプリングされる３原色信号Ｒｅｄ（赤），Ｇｒｅ（緑），Ｂｌｕ（青）及びＲＳ（黒レベルの電圧）の種類を示しており、また、出力期間“Ｒ”の後に続く（　）内には、駆動する画素が表示する色Ｒ（赤），Ｇ（緑），Ｂ（青）とその画素の属する行走査電極の番号を示す添字が記入されている。
　第１フィールドの第１水平走査周期において、信号Ｈ１は“Ｈ”レベル、信号Ｈ２は“Ｌ”レベル、該水平走査周期の水平帰線期間においてリセット信号ＲＳは“Ｈ”レベルである。この水平帰線期間中はリセット信号ＲＳ及び信号Ｈ１が入力端子に接続されているアンド回路２５の出力が“Ｈ”レベルになる。これによりアナログスイッチ４Ａ１及び４Ｂ１がオン状態になる。従って、Ｓ／Ｈ−Ａ及びＢは、例えば黒レベル画像信号のサンプリングすなわちリセット動作を行う。これにより全てのＳ／Ｈ−Ａ及びＢのホールド容量５の水平有効表示期間の直前のホールド電圧は黒レベルの電圧となる。
　一方、３原色画像信号Ｒｅｄ，Ｇｒｅ，Ｂｌｕを入力とするシフトマトリクス回路２６は第１水平周期においてはＸＲ，ＸＧ，ＸＢの各信号線にそれぞれＲｅｄ，Ｇｒｅ，Ｂｌｕの信号を出力しており、水平有効表示期間中にＳ／Ｈ−Ａ及びＢがそれぞれＲｅｄ，Ｂｌｕをサンプリングする。この時１の番号が小さいサンプルホールド回路は水平有効表示期間の始め付近でサンプリングし、ｌの番号が大きいサンプルホールド回路は水平表示期間の終り付近でサンプリングすることになる。このことは第２水平走査周期以降の水平有効表示期間中の動作でも同様である。
　続く第２水平走査周期の前半において第１行走査電極１０−１が選択されると同時に、Ｓ／Ｈ−Ａから第１行目の画素に見合う信号Ｒ１が列信号電極９−１に加えられる。第２水平走査周期の後半では第２行走査電極１０−２が選択されると同時に、Ｓ／Ｈ−Ｂから第２行目の画素に見合う信号Ｂ２が列信号電極９−ｌに加えられる。同時に第２水平走査周期の水平帰線期間にはリセット信号ＲＳと信号Ｈ２が“Ｈ”レベルとなっており、Ｓ／Ｈ−Ｃ及びＤが黒レベル画像信号のサンプリング、すなわちリセット動作を行う。これによって全てのＳ／Ｈ−Ｃ及びＤのホールド容量５の水平有効表示期間の直前のホールド電圧は黒レベルの電圧となっている。一方、第２水平走査周期においてはシフトマトリクス回路２６はＸＲ，ＸＧ，ＸＢの各信号線にそれぞれＧｒｅ，Ｂｌｕ，Ｒｅｄの信号を出力しその水平有効表示期間中にＳ／Ｈ−Ｃ及びＤがそれぞれＧｒｅ，ＢＴｕをサンプリングする。
　第３水平走査周期の前半において、第３行走査電極１０−３が選択されると同時にＳ／Ｈ−Ｃから第３行目の画素に見合う信号Ｇ３が列信号電極９−ｌに加えられる。後半では第４行走査電極１０−４が選択されると同時に、Ｓ／Ｈ−Ｄから第４行目の画素に見合う信号Ｒ４が列信号電極９−ｌに加えられる。また第３水平走査周期は第１水平走査周期と同様にＳ／Ｈ−Ａ及びＢが水平帰線期間でリセット動作した後、シフトマトリクス回路２６はＸＲ，ＸＧ，ＸＢの各信号線にそれぞれＢｌｕ，Ｒｅｄ，Ｇｒｅの信号を出力しているので、その水平有効表示期間中にＳ／Ｈ−Ａ及びＢがそれぞれＢｌｕ，Ｇｒｅをサンプリングする。
　以下同様な動作を繰り返し、垂直方向の画素数が例えば４８０画素の場合、２４０の水平走査周期中に３原色画像信号をサンプリングし、第２４１水平走査周期までの間に全ての画素を１回ずつ選択１駆動することになる。
　テレビ画像信号として例えばインタレース方式ＮＴＳＣ画像信号を扱うものとすると、１フィールドは２６２．５水平走査周期から構成される。従って、第２６３水平走査周期の画像信号による表示は、第１水平走査周期の画像信号による表示よりも上に位置し、第２６４水平走査周期の画像信号による表示は第１水平走査周期の画像信号による表示よりも下に位置するはずである。この関係を考慮し、第２フィールドでは第２６３水平走査周期の画像信号で第１行の画素のみを駆動し、第２６４水平走査周期の画像信号で第２行と第３行の画素を駆動している。従って、第２６３水平走査周期中にＳ／Ｈ−Ａが画像信号Ｇｒｅをサンプリングして得た信号は画素に印加されないことになる。これを第６図ではＲ（Ｘ）と表示している。
　このようにして、第１，第２フィールドを通して、第５０４水平走査周期までの間に全ての画素を２回選択駆動することになる。従って、第１フィールドに例えば正極性の画像信号を与え、第２フィールドに負極性の画素信号を与えておくことにより、液晶セル１２の駆動電圧は２フィールド周期すなわちフレーム周期（３０Ｈｚ）で交流駆動されることになる。
　以上で説明したように、第５図の実施例において各サンプルホールド回路が水平有効表示期間中にサンプリングを開始する直前のホールド容量５のホールド電圧は常に黒レベルの電圧になっているので、２水平走査周期前にサンプリングした信号電圧に依存せずホールド容量５のホールド電圧のばらつきを小さくすることができる。また、第５図のＳＲという記号で示した破線枠内の回路を第３図に示した回路に置き換えても同様の効果を上げることができる。尚、第６図に示したリセット信号ＲＳは水平帰線期間にわたって“Ｈ”レベルになっているが、水平有効表示期間の直前の、テレビ画像信号ＶＩが黒レベルとなっている期間に“Ｈ”レベルとなっているようなより幅の狭いリセット信号を用いてもさしつかえない。この信号をＲＳ′という記号で第６図に示す。
　【発明の効果】
　以上で説明したように本発明によれば、各サンプルホールド回路は水平有効表示期間にテレビ画像信号をサンプリングする前に常に同じ一定電圧、例えば黒レベルの電圧をサンプリングしているので以前にサンプリングしたテレビ画像信号の信号電圧に影響されることなくサンプリングすることができ、サンプルホールド回路によってホールドする信号電圧のばらつきを小さくすることができる。また液晶に印加される交流化テレビ画像信号として水平走査周期毎に極性反転している信号を用い、各サンプルホールド回路に水平走査周期毎にサンプリングさせる場合は、テレビ画像信号のサンプリングを開始する直前の各サンプルホールド回路がホールドしている電圧は常に交流化テレビ画像信号振幅のほぼ中央の電圧としておけばサンプリング時のホールド容量の最大変化電圧が、交流化テレビ画像信号振幅のほぼ半分と小さくできるので、画像信号印加電圧に対してホールド電圧を所定の誤差内におさめるための書き込み時間をほぼ半減できる。または同一の書き込み所要時間ではサンプルホールド回路に用いるアナログスイッチのインピーダンスを上げることができるため、このアナログスイッチの占有面積を小さくすることができる。
【図面の簡単な説明】
　第１図は本発明によるアクティブマトリクス方式画像表示装置用駆動回路の一実施例を示す構成図、第２図は第１図の実施例の動作波形図、第３図は本発明の一実施例による水平走査用シフトレジスタを示す回路図、第４図は第３図の回路例の動作波形図、第５図は本発明によるアクティブマトリクス方式画像表示装置用駆動回路の他の一実施例を示す構成図、第６図は第５図の実施例の動作波形図である。
　１……水平走査用シフトレジスタ、
　２……オア回路、
　３……レベルシフタ、
　４……アナログスイッチ、
　５，７……ホールド容量、
　６……出力制御付バッファアンプ、
　８……垂直走査用シフトレジスタ、
　９……列信号電極、
　１０……行走査電極、
　１３……液晶パネル、
　２４……ＲＳフリップフロップ。